(57)【要約】      （修正有）【課題】３〜５秒以内に水を９８℃に沸かす瞬間加熱式ジャーポットを提供する。【解決手段】着脱式水タンク１、制御手段２、表示パネル３、加熱手段４、ポンプ５を備え、前記ポンプ５は前記着脱式水タンク１、前記加熱手段４とそれぞれ接続している瞬間加熱式ジャーポットにおいて、前記加熱手段４は、板状発熱体、液体流路部材及び液体流路部材固定用底板を含み、前記液体流路部材は、不均一な柵状流路を有し、前記柵状流路は液体を単方向に流動させるものであり、前記制御手段２の入力端子は、前記板状発熱体上の過熱防止器、温度感知素子及び前記表示パネル上３の表示部と接続し、前記制御手段２の出力端子は、電源、及び前記ポンプ５に接続するサイリスタと接続している。【選択図】図１
0003182025.tif 000002
【実用新案登録請求の範囲】
【請求項１】
着脱式水タンク、制御手段、表示パネル、加熱手段、ポンプを備え、前記ポンプは前記着脱式水タンク、前記加熱手段とそれぞれ接続している瞬間加熱式ジャーポットであって、
前記加熱手段は、順次設けられ且つ緊定されている、板状発熱体、液体流路部材及び液体流路部材固定用底板を含み、
前記液体流路部材は、不均一な柵状流路を有し、前記柵状流路は液体を単方向に流動させるものであり、
前記制御手段の入力端子は、前記板状発熱体上の過熱防止器、温度感知素子及び前記表示パネル上の表示部と接続し、
前記制御手段の出力端子は、電源、及び前記ポンプに接続するサイリスタと接続していることを特徴とする、瞬間加熱式ジャーポット。
【請求項２】
前記制御手段内には、前記電源のオンまたはオフに用いる継電器が設けられ、前記継電器は前記過熱防止器及び前記電源とそれぞれ接続していることを特徴とする、請求項１に記載のジャーポット。
【請求項３】
前記表示パネル上には、前記表示部と接続するタッチボタンが設けられ、前記タッチボタン上には、水温調節ボタンと水量調節ボタンが設けられていることを特徴とする、請求項１に記載のジャーポット。
【請求項４】
前記着脱式水タンク上には、完全密閉式の水タンク蓋が設けられ、前記着脱式水タンクの進水口には、前記進水口を密閉するための導水用台座が設けられていることを特徴とする、請求項１〜３のいずれかに記載のジャーポット。
【請求項５】
前記加熱手段の排水孔は、可動式吐出口と接続していることを特徴とする、請求項１〜３のいずれかに記載のジャーポット。
【請求項６】
前記ジャーポットは着脱式貯水用トレーをさらに含むことを特徴とする、請求項１〜３のいずれかに記載のジャーポット。
【考案の詳細な説明】
【技術分野】
【０００１】
本考案はジャーポット（ｗａｔｅｒ  ｄｉｓｐｅｎｓｅｒ）に係り、特に急速な加熱に用いるジャーポットに係るものである。
【背景技術】
【０００２】
瞬間加熱式（Ｉｎｓｔａｎｔ  ｈｅａｔｉｎｇ  ｔｙｐｅ）ジャーポットは近年来発展を遂げてきた新しい飲料水の加熱方式である。しかし、大多数のこのようなジャーポットは加熱速度が遅い、繰り返し加熱するなどの欠点が存在するため、電気エネルギーの無駄を招き、さらに使用者は飲用するまで待たなければならず、大衆の使用ニーズに満たしていない。
【０００３】
特許文献１においては、ジャーポット用水温制御システムが開示された。該システムは、発熱手段と水温緩衝手段を有し、発熱手段は瞬間加熱式発熱手段であり、水温緩衝手段は発熱手段の後に設置され、水温緩衝手段には進水部、排水部、加熱ヒーター及び貯水タンクが設けられ、水温緩衝器と発熱手段との間は配管によって接続されている。毎回使用した後は、既に加熱された熱湯の一部を貯水タンクに貯め、それから低出力の加熱ヒーターを用いてそれに対し保温を行う。次にジャーポットを使用する際にはまず貯水タンク内の熱湯を排出し、貯水タンク内の熱湯が吐出された後、発熱手段内の水は既に沸かし終わり、発熱手段内の熱湯を吐出する。該ジャーポットは待ち時間なく熱湯を使用することができるものの、ジャーポットを使用しない時でも、加熱ヒーターを用いて加熱された熱湯に対し加熱保温する、繰り返し沸かすことが必要なため、電気エネルギーの無駄を招く。
【先行技術文献】
【特許文献】
【０００４】
【特許文献１】中国実用新案ＣＮ２０１７２７３６８Ｕ号公報
【考案の概要】
【考案が解決しようとする課題】
【０００５】
本考案が解決しようとする技術課題は、前記従来技術に対して、瞬間加熱式ジャーポットを提供し、３〜５秒以内に水を９８℃に沸かすことである。飲用の都度に沸かすため、安全・衛生・節電を実現する。
【課題を解決するための手段】
【０００６】
本実案が前記技術課題を解決する際に用いる技術構成は以下である。着脱式水タンク、制御手段、表示パネル、加熱手段、ポンプを備え、前記ポンプは前記着脱式水タンク、前記加熱手段とそれぞれ接続している瞬間加熱式ジャーポットであって、前記加熱手段は、順次設けられ且つ緊定されている、板状発熱体、液体流路部材及び液体流路部材固定用底板を含み、前記液体流路部材は、不均一な柵状流路を有し、前記柵状流路は液体を単方向に流動させるものであり、前記制御手段の入力端子は、前記板状発熱体上の過熱防止器、温度感知素子及び前記表示パネル上の表示部と接続し、前記制御手段の出力端子は、電源、及び前記ポンプに接続するサイリスタ（ｔｈｙｒｉｓｔｏｒ）と接続している。
【０００７】
前記制御手段内には、前記電源のオンまたはオフに用いる継電器が設けられ、前記継電器は前記過熱防止器及び前記電源とそれぞれ接続している。これにより、前記ジャーポットが正常に稼動する際には電源のオンとオフを制御し、または加熱手段に異常がある場合は電源をオフにする。
【０００８】
前記表示パネル上には、前記表示部と接続するタッチボタンが設けられ、前記タッチボタン上には、水温調節ボタンと水量調節ボタンが設けられている。これにより、使用者は需要により水温と水量を選択できる。
【０００９】
前記着脱式水タンク上には、完全密閉式の水タンク蓋が設けられ、前記着脱式水タンクの進水口には、前記進水口を密閉するための導水用台座が設けられている。これにより、水タンク蓋は水タンク内の清潔さを保証し、導水用台座は水がスムーズにポンプによって汲み出されることを保証する。
【００１０】
前記加熱手段の排水孔は、可動式吐出口と接続している。該吐出口から飲用水を得ることができる。
【００１１】
前記ジャーポットは着脱式貯水用トレーをさらに含む。該着脱式貯水用トレーは使用の際に飛びはねる水の受け入れに用いるものである。
【考案の効果】
【００１２】
従来技術と比較して、本考案のメリットは以下である。液体を単方向に流動させる、不均一な柵状流路のある加熱手段を用いることにより、急速に過熱することができ、３〜５秒以内に水を９８℃に沸かすことができる。これにより、水を沸かす時間が長すぎること、繰り返し沸かすことを回避した。飲用の都度に沸かすことで、安全・衛生・節電を実現した。制御手段によって水を沸かすことの自動制御を実現し、便利に使用できる。
【図面の簡単な説明】
【００１３】
【図１】本考案の瞬間加熱式ジャーポットの立体構造模式図である。
【図２】本考案の加熱モジュールの模式図である。
【図３】本考案の加熱モジュールの制御フローである。
【考案を実施するための形態】
【００１４】
以下に図面を参照しながら本考案についてさらに詳細に説明する。
【００１５】
図１を参照すれば、瞬間加熱式ジャーポットであって、着脱式水タンク１、制御プレート（制御手段）２、表示パネル３、加熱モジュール（加熱手段）４及びポンプ５を含む。
【００１６】
該着脱式水タンク１は、ジャーポット中から取り出して単独に洗浄し、または水汲みすることが可能なものであって、水タンクの洗浄が便利である。該着脱式水タンク１上には、水タンク蓋１１が設けられ、該水タンク蓋１１は完全密閉式の水タンク蓋であり、着脱式水タンク１全体を覆い、全面的に着脱式水タンク中に埃が入らないように保証する。着脱式水タンクの進水口には導水用台座１２が設けられ、進水口を密閉させ、これにより水がスムーズにポンプ５に入ることを保証している。加熱のため、ポンプ５は水タンク１内の水を加熱モジュール４に汲み入れる。
【００１７】
制御プレート２は、ポンプ５からの排水の大きさと速度を制御し、水流が一定の比例に従って加熱モジュール４に入るようにする。
【００１８】
該表示パネル３には、互いに接続している表示部３１及びタッチボタン３２が設けられ、表示部３１はジャーポットの現在の使用している機能を表示し、タッチボタン３２はジャーポットの機能の切り替えを実現できる。
【００１９】
該加熱モジュール４は、図２に示すように、順次設けられ且つ緊定されている、板状発熱体４１、液体流路部材４２及び液体流路部材固定用底板４４を含む。板状発熱体４１は、金属板４１１を含み、金属板４１１の中央には絶縁層４１２が塗布され、絶縁層４１２上には印刷回路配線４１３が印刷され、印刷回路配線４１３は液体流路４２の方向に対応するものであり、印刷回路配線４１３の配置の原則は、配線の長さをなるべく増やすことで、なるべく密度を増加させ、板状発熱体４１の発熱量を増大させ、発熱を急速にする。板状発熱体４１の一端には、電源入力端子４１４、シグナル端子４１５、過熱防止器４１６及び温度感知素子４１７が設けられ、水の温度を出力する。好ましくは、印刷回路配線４１３は金属導電材料であり、温度感知素子４１７はサーミスタである。
【００２０】
該液体流路部材４２は、弾性のあるシリコーン素材によって製作され、単方向に流動させる、不均一な柵状流路を有する。液体流路部材４２の向かい合う側辺４２１、４２２上には、それぞれ複数の並列する円弧状枠部４２３、４２４が形成され、円弧状枠部４２３と円弧状枠部４２４は交互に交錯して（入り違うように）配置されている。即ち、円弧状枠部４２３の終端４２５は、向かいあう円弧状枠部４２４の円心部を向かい（対応し）、同じように、円弧状枠部４２４の終端４２６は、向かいあう円弧状枠部４２３の円心に向かって（対応して）いる。流路部（柵部）４２７の一端は終端４２５と連続し、もう一端は円弧状枠部４２４を隔離するスペーサーとなっている。同じように、流路部４２７と隣接する流路部４２８の一端は終端４２６に接続し、もう一端は円弧状枠部４２３を隔てるスペーサーとなっている。平行に設置している流路部４２７、４２８は縦方向に液体を誘導する流路部４２９を形成し、流路部４２７、４２８はそれぞれ円弧状枠部４２３、４２４と横方向に液体を誘導する流路部４３０を形成している。
【００２１】
流路部４２７、４２８の上面（頂面）は円弧状であり、加熱する場合、板状発熱体４１は変形しやすく、流路部上面の円弧と板状発熱体４１の変形係数は対応するものであり、これによりさらに良好に水を封止する効果を有する。流路部４２７、４２８の底面も円弧状であり、底面の円弧と上面の円弧は平行である。これは、平面に比べ、円弧面の抵抗がより大きいため、水の出る速度を減少させることができる。同等の熱エネルギーの状況において、水の出る速度が遅くなることにより、正常の９５℃前後の温度を正常に保持するには、出る水量を増大させる必要がある。
【００２２】
流路部４２９、４３０の幅は次第に小さくなり、冷水が入る第一流路部の幅は、最後の流路部の幅の１〜１．５倍である。流路部４２７、４２８の真ん中部分４２７１、４２８１は同じ方向に向かって円弧状湾曲を形成することで、減速エリア４２０を形成し、水流を通った時の流速を低下させ、加熱時間を延長させ、水温を急速に上昇させる。冷水は進水孔４２１１から流入し、最後に排水孔（図示していない）から流出するまでの時間の設定は３〜５秒であり、流出する水温は９５〜９９℃の範囲内である。
【００２３】
液体流路部材固定用底板４４の辺縁には、突起部４４１が設けられ、板状発熱体４１の装着孔４１８と対応し、これにより液体流路部材４２を緊定させる。
【００２４】
加熱モジュール４はさらに、液体流路部材４２及び液体流路部材固定用底板４４の間の隔離位置決定シート４３を有し、該隔離位置決定シート４３上には、位置決定孔４２１が設けられ、進水孔４２１１と排水孔の位置を決定する。これにより、液体流路部材固定用底板４４と直接接触することを回避し、液体流路部材４２と液体流路部材固定用底板４４とが完全に隔離されることを保証する。液体流路部材４２が使用するシリコーン製品は非常に強い吸着性を有するため、飲用水が外部の不良成分を吸着することを防止するために、隔離位置決定シート４３を用いて隔離と位置決定を行う。好ましくは、隔離位置決定シートは食品水準の硬質プラスチックによって形成され、さらにこの硬質材料は吸着性を有さず、有害物質などを分解により生成することもない。
【００２５】
ジャーポットはさらに、可動式吐出口６を有し、加熱モジュール４によって加熱された水は、可動式吐出口６から流出し、使用者の飲用に供される。該可動式吐出口６は上下に調整することができ、使用者が使用する容器の大きさによって高さを調整することができ、熱湯が飛びはねることを防止し、無駄の発生及び使用者がやけどすることを防ぐ。
【００２６】
可動式吐出口６と対応するように、着脱式貯水用トレー７が設けられ、単独で取り出して洗浄することができる。
【００２７】
本考案の原理及び稼動プロセスは以下である。
【００２８】
図３を参照すれば、制御プレート（制御手段）２の入力端子はそれぞれ表示部３１及び加熱モジュール４上の過熱防止器４１６、温度感知素子４１７と接続し、出力端子はそれぞれサイリスタ（ｔｈｙｒｉｓｔｏｒ）８及び電源９と接続している。温度感知素子４１７は水の温度を検出し、現在の温度データを制御プレート２に転送する。これにより、制御プレート２は、該温度データに従って調整を行うことができ、制御シグナルは、サイリスタ（ｔｈｙｒｉｓｔｏｒ）８により、ポンプ５の給水の大きさ(給水量）を制御する。制御プレート２内には継電器１０が設けられ、加熱モジュール４上の過熱防止器４１６及び電源９とそれぞれ接続している。同時に、電源９は板状発熱体４１上の電源入力端子４１４と接続している。継電器１０は、ジャーポット正常稼動時に、電源９のオンおオフを制御するのに使う。制御プレート２またはその周辺回路に異常が発生し、加熱モジュールが制御できないまま加熱することで、温度が高すぎるようになった場合、過熱防止器４１６は加熱モジュール４と電源９との接続を切断し、さらに継電器１０によって、制御プレート２と電源９との接続を切断する。
【００２９】
使用する際、まずは需要に従って制御プレート２に対し設定を行い、「水温」ボタンにより、「常温水」、「お湯」、「沸き湯」の幾つかのモード間で調整することができ、水量も需要により選択することができる。前記選択肢は、制御プレート２と接続している表示部３１に表示され、タッチボタン３２のボタンを使用して選択することができる。例えば使用者が「沸き湯」モードを選択した場合、制御パネル２はこの設定にしたがって、ポンプ５を制御し、着脱式水タンク１中の冷水を汲み取り、加熱モジュール４の液体流路部材４２内に注入する。加熱後の水は可動式吐出口６から流出し、使用者の使用する容器に到達する。冷水は３〜５秒で９８℃に達することができる。これにより、沸かす時間が長い、繰り返し沸かすことを回避し、飲用の都度に沸かすことで、安全・衛生・節電を実現できる。
【００３０】
以上は本考案の好ましい実施形態であり、説明すべきは、当業者が、本実案の原理を脱離しない前提において出来る多くの変形または改善も、本実案の保護範囲に属すると考えられる。
【産業上の利用可能性】
【００３１】
本発明は飲料水の加熱等に用いることができる。
【符号の説明】
【００３２】
１  着脱式水タンク
２  制御プレート（制御手段）
３  表示パネル
４  加熱モジュール（加熱手段）
５  ポンプ
６  可動式吐出口
７  着脱式貯水用トレー
８  サイリスタ
９  電源
１０  継電器
１１  水タンク蓋
１２  導水用台座
３１  表示部
３２  タッチボタン
４１  板状発熱体
４２  液体流路部材
４４  液体流路部材固定用底板
４１６  過熱防止器
４１７  温度感知素子
【図１】
0003182025.tif 000003
【図２】
0003182025.tif 000004
【図３】
0003182025.tif 000005